(57)【要約】【課題】ガラス、プラスチック、アクリル樹脂などによる光透過性基板上に漆喰による塗工仕上げを施して、光透過性のある壁構造体を形成し、通常は、漆喰によるシックな壁面を構成する一方、当該壁構造体の反対側に各種投光手段を配置して、その作動により、極めて幻想的な動画像を含む画像などを室内において鑑賞することができるようにした幻想画像等鑑賞システムを提供すること。【解決手段】光透過性のある透明あるいは半透明の光透過性基板１の一方の面１ａに、接着剤層２を介して光散乱シート部材３を貼り合わせ、前記光散乱シート部材３上に漆喰層４を設けてなり、前記光透過性基板１の他方の面１ｂ側に投光手段５を配置してなることを特徴とする光透過性壁構造体を含む幻想画像等鑑賞システム。【選択図】図１
2006235279.tif 000002
【特許請求の範囲】
【請求項１】
光透過性のある透明あるいは半透明の光透過性基板の一方の面に、漆喰層を設けたものからなり、前記光透過性基板の他方の面側に投光手段を配置してなることを特徴とする光透過性壁構造体を含む幻想画像等鑑賞システム。
【請求項２】
光透過性のある透明あるいは半透明の光透過性基板の一方の面に、接着剤層を介して光散乱シート部材を貼り合わせ、前記光散乱シート部材上に漆喰層を設けてなることを特徴とする請求項１に記載の光透過性壁構造体を含む幻想画像等鑑賞システム。
【請求項３】
前記光透過性基板が、光透過性のある透明あるいは半透明のガラス、またはプラスチック、またはアクリル樹脂からなることを特徴とする請求項１あるいは請求項２に記載の光透過性壁構造体を含む幻想画像等鑑賞システム。
【請求項４】
前記光散乱シート部材が、和紙、布、不織布などでなることを特徴とする請求項２に記載の光透過性壁構造体を含む幻想画像等鑑賞システム。
【請求項５】
前記漆喰層の厚さが、約０．１ｍｍ〜５ｍｍ程度であることを特徴とする請求項１〜請求項４のいずれかに記載の光透過性壁構造体を含む幻想画像等鑑賞システム。
【請求項６】
前記光透過性基板の他方の面に、光透過性のある透明あるいは半透明のフィルムを貼り合わせてなることを特徴とする請求項１〜請求項５のいずれかに記載の光透過性壁構造体を含む幻想画像等鑑賞システム。
【発明の詳細な説明】
【技術分野】
【０００１】
この発明は、大規模的には、建造物空間における壁面構造体に対して適用が可能なものであり、且つ、小規模的には、室内装飾装置品、置物あるいは室外設置物などに対して適用可能な光飾装置であって、特に、ガラスなどの光透過性基板に漆喰を塗工処理してなる極めて新規な光透過性壁構造体を含む幻想画像等鑑賞システムに関するものである。
【背景技術】
【０００２】
周知のように、漆喰は、消石灰を結合剤とする塗り壁あるいはモルタルのことであり、耐火性、耐候性並びに吸放湿性に優れた壁仕上材として、建築文化を長年にわたり支えてきた壁面仕上材である。建造物などにおいて、この漆喰を用いて内壁仕上げしたものによれば、室内をシックで格調のある内壁面を構築することができる。
【０００３】
従来、光装飾性を高めるべく、投光手段からの光を拡散ないしは散乱させる構造物としては、例えば、特許文献１および特許文献２に記載のような技術内容のものが開発さて、提供されてきている。まず、特許文献１に記載のものは、天然木質光透過性素材及びそれを用いた構造体にかかるものであり、その基本的な構成は、光透過性母材の表面に天然木ツキ板を接着剤で一体に貼り合わせ、この光透過性母材の他方の面に光源を配置した構成のものである。
【０００４】
この特許文献１に記載のものは、ガラスなどの光透過性基板の上に天然木ツキ板を接着剤で貼り合わせたものであって、天然木材の優れた特性を有し、且つ、意匠性、芸術性に優れた機能性素材を提供することができ、天然木質が光を透過する機能を持ち、天然銘木のそのものの雰囲気を持った機能性素材を提供することができるという作用効果を奏するものである。
【０００５】
しかしながら、この特許文献１に記載のものは、確かに、天然銘木のそのものの雰囲気を演出することができるが、天然木材そのものが脆弱であり、耐火性、耐候性に多くの問題点を有しており、且つ、木目の存在により、微細な情報再現ができず、極めて限られた構造体にしか適用することができない。
【０００６】
一方、特許文献２に記載のものは、照明の光を透過させて使用するためのシート状部材、シート状部材の製造方法及び装飾部材にかかるものであり、基本的には、透明または半透明の樹脂から形成された樹脂層１２と、この樹脂層に接着された和紙層１４とを有するシート本体部１０と、該シート本体部の和紙層に接着された突板部１６とを有するシート状部材Ａを特徴とするものである。
【０００７】
この特許文献２に記載のものは、当該シート状部材に光を透過させて使用すると、光は樹脂層と和紙層を経て外部に放射されるので、穏やかな光が放たれ、さらには、突板部が設けられているので、アクセントになり、木目調の趣を有するので、象嵌の風格や格調を有し、装飾効果に優れているという作用効果を奏するものである。
【０００８】
しかしながら、この特許文献１に記載のものは、上記する特許文献１に記載のものと同様の問題点を有するとともに、装飾部材Ｂのような構造物に対して適用が可能なものにすぎず、多面的に適用されるものではない。
【０００９】
【特許文献１】特開平８−２６７６６７号公報（要約、特許請求の範囲）
【特許文献２】特開２００２−６７２３０号公報（要約、図１および図２）
【発明の開示】
【発明が解決しようとする課題】
【００１０】
そこで、この発明では、上記する従来技術の問題点を解消すべくなしたものであって、特に重要な要素は、ガラス、プラスチック、アクリル樹脂などによる光透過性基板上に漆喰による塗工仕上げを施して、光透過性のある壁構造体を形成し、通常は、漆喰によるシックな壁面を構成する一方、当該壁構造体の反対側に各種投光手段を配置しておき、当該投光手段を作動させることにより、極めて幻想的な動画像を含む画像などを室内において鑑賞することができるようにした光透過性壁構造体を含む幻想画像等鑑賞システムを提供しようとするものである。
【課題を解決するための手段】
【００１１】
この発明は、上記する目的を達成するにあたって、請求項１に記載の発明は、光透過性のある透明あるいは半透明の光透過性基板の一方の面に、漆喰層を設けたものからなり、前記光透過性基板の他方の面側に投光手段を配置してなる光透過性壁構造体を含む幻想画像等鑑賞システムを構成するものである。
【００１２】
さらに、この発明において請求項２に記載の発明は、請求項１に記載の幻想画像等鑑賞システムであって、光透過性のある透明あるいは半透明の光透過性基板の一方の面に、接着剤層を介して光散乱シート部材を貼り合わせ、前記光散乱シート部材上に漆喰層を設けてなることを特徴とするものである。
【００１３】
さらに、この発明において請求項３に記載の発明は、請求項１あるいは請求項２に記載の幻想画像等鑑賞システムであって、前記光透過性基板が、光透過性のある透明あるいは半透明のガラス、またはプラスチック、またはアクリル樹脂でなることを特徴とするものである。
【００１４】
さらに、この発明において請求項４に記載の発明は、請求項２に記載の幻想画像等鑑賞システムであって、前記光散乱シート部材が、和紙、布、不織布などでなることを特徴とするものである。
【００１５】
さらに、この発明において請求項５に記載の発明は、請求項１〜請求項４に記載の幻想画像等鑑賞システムであって、前記漆喰層の厚さが、０．１ｍｍ〜５ｍｍ程度であることを特徴とするものである。
【００１６】
さらに、この発明において請求項６に記載の発明は、請求項１〜請求項５に記載の幻想画像等鑑賞システムであって、前記光透過性基板の他方の面に、光透過性のある透明あるいは半透明のフィルムを貼り合わせてなることを特徴とするものである。
【００１７】
さらにまた、この発明では、前記投光手段として、コンピュータ手段によってプログラムされたドット式ＬＥＤ表示装置、あるいは、コンピュータ手段によってプログラムされた動画像を選択的に出力するプロジェクタ装置を含むものからなっており、より好ましくは、コンピュータ手段によってプログラムされた音声を出力する音声発生手段を備えておくこともできる。
【発明の効果】
【００１８】
この発明になる光透過性壁構造体を含む幻想画像等鑑賞システムによれば、まず第１に、光透過性のある透明あるいは半透明の光透過性基板の一方の面に、漆喰層を設けたものからなり、前記光透過性基板の他方の面側に投光手段を配置して構成した点において、通常は、漆喰によるシックな壁面を構成する一方、当該壁構造体の反対側に各種投光手段を配置しておき、当該投光手段を作動させることにより、極めて幻想的な動画像を含む画像などを室内において鑑賞することができ、全く新たな興趣性をもたらし、以って、建造物空間を多様的に演出することができる点において、極めて有効に作用するものといえる。
【００１９】
さらに、この発明になる光透過性壁構造体を含む幻想画像等鑑賞システムによれば、前記投光手段を、コンピュータ手段によってプログラムされたドット式ＬＥＤ表示装置、あるいは、コンピュータ手段によってプログラムされた動画像を選択的に出力するプロジェクタ装置を含むものから構成し、さらには、当該コンピュータ手段によってプログラムされた音声を出力する音声発生手段を備えることによって、さらに多様的な空間を演出することができる点においても、極めて有効に作用するものといえる。
【発明を実施するための最良の形態】
【００２０】
以下、この発明になる光透過性壁構造体ＷＳを含む幻想画像等鑑賞システムＦＳについて、図面に示す具体的な実施例に基づいて詳細に説明する。図１は、この発明になる光透過性壁構造体を含む幻想画像等鑑賞システムについての具体的な実施例を示すものであり、投光手段がドット式ＬＥＤ表示装置である例を示す概略的な側断面図である。図２は、投光手段が動画像を出力するプロジェクタ装置である例を示す概略的な側断面図である。図３は、当該光透過性壁構造体の内部に光源を配置した設置物についての一例を示す概略的な側断面図である。図４は、当該光透過性壁構造体によって建造物の壁面を構成する一例を示す概略的な側断面図である。
【００２１】
この発明になる光透過性壁構造体ＷＳを含む幻想画像等鑑賞システムＦＳは、基本的には、図１〜図３各図に示すように、光透過性壁構造体ＷＳは、光透過性のある透明あるいは半透明の光透過性基板１の一方の面１ａに、接着剤層２を介して光散乱シート部材３を貼り合わせ、前記光散乱シート部材３上に漆喰層４を設けたものからなっており、前記光透過性基板１の他方の面１ｂ側に投光手段５を配置したものである。
【００２２】
この発明において、前記光透過性基板１は、光透過性のある透明あるいは半透明のガラス、またはプラスチック、またはアクリル樹脂からなるものであって、壁の基板を構成するものとして、物理的にも、機械的にも、強靱なものにより構成されている。
【００２３】
一方、前記光散乱シート部材３は、和紙、または布、または不織布などでなっていて、接着剤層２を介して光透過性基板１の一方の面１ａに貼り合わせてある。前記接着剤層２を形成する接着剤としては、例えば、エチレン酢酸ビニル合成高分子エマルジョンを主成分とする吸水調整材・モルタル接着増強剤（日本化成株式会社製・ＮＳハイフレックス  ＨＦ−１０００）が有効なものであった。
【００２４】
このようにして光透過性基板１の一方の面１ａに接着剤層２を介して光散乱シート部材３を貼り合わせたものに対して、前記光散乱シート部材３の上に、この発明において、最も重要な要素である漆喰層４が塗工により形成される。この漆喰層４の厚さは、約０．１ｍｍ〜５ｍｍ程度である。この漆喰層４の厚さ寸法は、前記投光手段５の光量規模に関係するものであって、投光手段５の作動によって前記漆喰層４の表面４ａ側に光が透過する範囲において適宜設計される。前記漆喰層４は、白色以外、着色したものであってもよい。
【００２５】
上記する光透過性基板１の他方の面１ｂには、光透過性のある透明あるいは半透明のフィルム６が貼り合わせてある。このフィルム６は、割れ防止用のバックアップシートとして機能するものである。
【００２６】
次いで、この発明における投光手段５の具体的な実施例について、図１〜図３に基づいて説明する。先ず、図１に示すものは、投光手段５が、コンピュータ手段７によってプログラムされたドット式ＬＥＤ表示装置８によって構成されているものであり、このＬＥＤ表示装置８は、高輝度であり、消費電力が少ないので、当該ＬＥＤを多数個マトリックス状に配列してなる表示パネルあるいは照明パネルとして多用されている。このＬＥＤ表示装置８は、所謂、電光掲示板のように動く文字情報として装置化されている。
【００２７】
一方、図２に示すものは、投光手段５が、コンピュータ手段９によってプログラムされた動画像を選択的に出力するプロジェクタ装置１０によって構成されているものである。図２に示す実施例において、前記コンピュータ手段９は、一般的なパーソナルコンピュータＰＣによって構成されているものであり、このコンピュータ手段９に対し、ＶＧＡ(Video Graphics Array)ラインによりプロジェクタ装置１０が接続されており、一例において、音声発生手段１１が、ＡＵＤＩＯラインを介して当該コンピュータ９に接続してある。
【００２８】
図３に示す実施例は、この発明の一実施例であって、光透過性基板１、接着剤層２、光散乱シート部材３および漆喰層４によって構成される光透過性壁構造体ＷＳの内部に投光手段１２を配置した構成のものである。この実施例のものでは、その外観的形態は、図３に示すものに限定されるものではなく、各種形態の装置品、設置物などとして設計することができる。
【００２９】
さらに、図３に示す実施例において、前記投光手段１２は、図３に示すような光源体、あるいはドット式ＬＥＤ表示装置、あるいはプロジェクタ装置のいずれであってもよい。
【００３０】
図４は、当該光透過性壁構造体ＷＳによって建造物の壁面を構成する一例を示すものであって、当該光透過性壁構造体ＷＳを躯体１３に対して組み立ててある。前記光透過性壁構造体ＷＳの下縁側は、ローラーチェーン１４によって支持されている。これは、この発明を建造物に対して施工適用した一例を示すものであって、この実施例にのみ限定されるものではない。
【図面の簡単な説明】
【００３１】
【図１】図１は、この発明になる光透過性壁構造体を含む幻想画像等鑑賞システムについての具体的な実施例を示すものであり、投光手段がドット式ＬＥＤ表示装置である例を示す概略的な側断面図である。
【図２】図２は、投光手段が動画像を出力するプロジェクタ装置である例を示す概略的な側断面図である。
【図３】図３は、当該光透過性壁構造体の内部に光源を配置した設置物についての一例を示す概略的な側断面図である。
【図４】図４は、当該光透過性壁構造体によって建造物の壁面を構成する一例を示す概略的な側断面図である。
【符号の説明】
【００３２】
ＦＳ  幻想画像等鑑賞システム
ＷＳ  光透過性壁構造体
１  光透過性基板
１ａ  光透過性基板の一方の面
１ｂ  光透過性基板の他方の面
２  接着剤層
３  光散乱シート部材
４  漆喰層
５  投光手段
６  フィルム
７  コンピュータ手段
８  ドット式ＬＥＤ表示装置
９  コンピュータ手段
１０  プロジェクタ装置
１１  音声発生手段
１２  投光手段
１３  躯体
１４  ローラーチェーン
【図１】
2006235279.tif 000003
【図２】
2006235279.tif 000004
【図３】
2006235279.tif 000005
【図４】
2006235279.tif 000006